【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
密封栓（４２）を介して密封することができる瓶の首（３４）を有する瓶（２０）からまたは瓶に、媒体を取り出すためのまたは移すための移送装置（１０、１００、２００、４００）であって、前記移送装置は、
前記瓶に位置決め可能な第１アダプタ部品（１２、１１２、２１２、４１２）と、
前記第１アダプタ部品と相互作用して前記瓶の長手方向に移動可能であって、前記密封栓に刺し通すための移行要素（５０）を有する第２アダプタ部品（１４、１１４、２１４、４１４）とを含み、
前記密封栓（４２）の方向への前記第１アダプタ部品に沿った前記第２アダプタ部品（１４、１１４、２１４、４１４）の移動および前記第２アダプタ部品の係合に基づいて、前記第１アダプタ部品（１２、１１２、２１２、４１２）が前記瓶（２０）に、または前記瓶の周りに解除不能に固定されることを特徴とする移送装置。
【請求項２】
前記第２アダプタ部品（２１４、４１４）は、前記第１アダプタ部品（２１２、４１２）を取り囲む位置において、前記第１アダプタ部品に対して密閉されることを特徴とする、請求項１に記載の移送装置。
【請求項３】
前記第２アダプタ部品（２１４、４１４）もしくはその中空円筒状部分（２４４）は内側に密閉部を生じさせる特に中空円筒状の形状のシール材（３３２、４３６）を備え、該シール材は望ましくは挿入物として形成されることを特徴とする、請求項２に記載の移送装置。
【請求項４】
前記第２アダプタ部品（２１４、４１４）の外部中空円筒状部分（２４４）は第１インタロック要素（３１４、３１６、３１８、３２０、３２２、３２４、４１６、４１８、４２０、４２３、４２４、４２５）を備える、またはこれらは前記第２アダプタ部品からまたはこれに接続された要素から出ること、および穿刺針（５０）の穿通方向と逆の第１アダプタ部品に対する第２アダプタ部品の相対的な位置変化が阻止されるように、前記第１インタロック要素は外套壁側に延びる前記第１アダプタ部品（２１２、４１２）の第２インタロック要素（３１０、３１２）と相互作用することを特徴とする、請求項１から３のいずれか一項に記載の移送装置。
【請求項５】
前記第２アダプタ部品（２１４、４１４）から少なくとも１つの第１インタロック要素（３１４、３１６、３１８、３２０、４１６、４１８、４２０、４２４）が出て、該第１インタロック要素は、望ましくは末端側に前記第２アダプタ部品（２１４、４１４）もしくは前記移送装置（２００、４００）の長手軸の方向に延伸する係合突出部（３２２、３２４、４２３、４２５）を有して軸方向に延びて曲がることができる舌状要素であり、該係合突出部は望ましくは歯状の突出部によって限定される前記第１アダプタ部品（２１２、４１２）の係合窪み（３１０、３１２）に係合することを特徴とする請求項１から４のいずれか一項に記載の移送装置。
【請求項６】
前記少なくとも１つの舌状要素（３１４、３１６、３１８、３２０、４１６、４１８、４２０、４２４）は、前記第２アダプタ部品（２１４、４１４）の外部中空円筒状部分（２４４）に溶接によって接続される環状要素（３２６、４３０）から要素として出ることを特徴とする、請求項１から５のいずれか一項に記載の移送装置。
【請求項７】
前記第１アダプタ部品（２１２、４１２）の外套壁（２１６）から、周りを囲む環状の突出部（２１７）のようなストッパが突き出し、該ストッパに第１および第２アダプタ部品（２１２、２１４、４１２、４１４）の間の適正な接続の際に後者が密接することを特徴とする、請求項１から６のいずれか一項に記載の移送装置。
【請求項８】
前記瓶（２０）に、またはその周りに固定される前記移送装置（１０、１００、２００、４００）において、前記第１および第２アダプタ部品（１２、１１２、２１２、４１２；１４、１１４、２１４、４１４）は少なくとも前記密封栓（４２）の領域において前記瓶を取り囲んで密閉する覆いを構成することを特徴とする、請求項１に記載の移送装置。
【請求項９】
少なくとも部分的に互いに移動される第１および第２アダプタ部品（２１２、２１４、４１２、４１４）において、これらは前記瓶（２０）を取り囲んで密閉される容器を構成することを特徴とする望ましくは、請求項１から８のいずれか一項に記載の移送装置。
【請求項１０】
互いに移動可能な前記第１および第２アダプタ部品（１２、１１２；１４、１１４）において、これらは適正な使用の際に分離不可に接続されることを特徴とする、請求項１から９のいずれか一項に記載の移送装置。
【請求項１１】
穿刺針（５０）の穿通方向への前記第２アダプタ部品（１４、１１４、２１４、４１４）の位置変化において、前記第１アダプタ部品（１２、１１２、２１２、４１４）は前記第２アダプタ部品と、穿通方向と逆の前記第１アダプタ部品に対する前記第２アダプタ部品の位置変化が阻止されるように相互作用することを特徴とする、請求項１から１０のいずれか一項に記載の移送装置。
【請求項１２】
前記第２アダプタ部品（４１４）は、円筒状円周壁（４４２）を有するフード形状またはカップ形状と、これに対して同軸に延びる内部中空円筒状部分（４４４）とを備え、該内部中空円筒状部分から、組み立てられた前記第１および第２アダプタ部品（２１２、４１４）において、それを用いて前記第２アダプタ部品を前記第１アダプタ部品に対して密閉するシール要素（４３６）が出ることを特徴とする、請求項１から１１のいずれか一項に記載の移送装置。
【請求項１３】
断面において、シール要素（４３６）が、内部脚と外部脚とを有する不均一脚のＵ字形状を備え、その間に部分的に内部中空円筒状部分（４４４）が延びることを特徴とする、請求項１から１２のいずれか一項に記載の移送装置。
【請求項１４】
医療用薬剤を有する容器と、医療用薬剤を溶かすための溶剤を有するバッグと、請求項１から１３のいずれか一項に記載の移送装置とによって構成される、医療用薬剤を溶剤に混合するためのキット。
【手続補正２】
【補正対象書類名】明細書
【補正対象項目名】０１３６
【補正方法】変更
【補正の内容】
【０１３６】
図２９〜３９に示された実施形態の別の強調すべき形態を参照指示する必要がある。すなわち、第１すなわち内側アダプタ部品４１２が例えば、バイアル瓶がまだ囲まれていない納入状態において、第１アダプタ部品４１２がその底側を用いて第２すなわち外側アダプタ部品４１４の中に押し込まれるように第２すなわち外側アダプタ部品４１４に差し込まれ、それによって、カニューレ５０の先端は掴まれないことが保証される、可能性が存在する。押し込みは係合鉤によって、すなわちその係合突出部４２３、４２５を有する係合要素４１６、４１８、４２０、４２４によって限定される。それによって、カニューレ５０が第１アダプタ部品４１２の底に侵入することができないことが保証される。その場合、係合鉤は異なる長さを備えることができ、その結果、アダプタ部品４１２の底側は短い鉤の上に乗る。
以下に、出願当初の特許請求の範囲に記載の事項を、そのまま、付記しておく。
［１］  密封栓（４２）を介して密封することができる瓶の首（３４）を有する瓶（２０）からまたは瓶に、媒体を取り出すためのまたは移すための移送装置（１０、１００、２００、４００）であって、前記移送装置は、
前記瓶に位置決め可能な第１アダプタ部品（１２、１１２、２１２、４１２）と、
前記第１アダプタ部分と相互作用して前記瓶の長手方向に移動可能であって、前記栓に刺し通すための移行要素（５０）を有する第２アダプタ部品（１４、１１４、２１４、４１４）とを含み、
前記密封栓（４２）の方向への前記第１アダプタ部品に沿った前記第２アダプタ部品（１４、１１４、２１４、４１４）の移動および前記第２アダプタ部品の係合に基づいて、前記第１アダプタ部品（１２、１１２、２１２、４１２）が前記瓶（２０）に、または前記瓶の周りに解除不能に固定されることを特徴とする移送装置。
［２］  前記瓶（２０）に、またはその周りに固定される前記移送装置（１０、１００、２００、４００）において、前記第１および第２アダプタ部品（１２、１１２、２１２、４１２；１４、１１４、２１４、４１４）は少なくとも前記密封栓（４２）の領域において前記瓶を取り囲んで密閉する覆いを構成することを特徴とする［１］に記載の移送装置。
［３］  前記第１アダプタ部品（１２、２１２）は、瓶の密封栓側に延びる前面周縁を有する中空円筒形状を備えて前記瓶（２０）を円周側に取り囲む外套壁（１６、２１６）と、前記瓶の底を少なくとも部分的に好ましくは完全に覆う底部分（１８、２１８）と、前面周縁側に前記外套壁に沿って存在する支持部分とを備え、前記支持部分から望ましくは舌状またはウェブ状に形成される固定要素（２８、３０、２２８、２３０）が出て、該固定要素は前記第１アダプタ部品の半径方向に特に向きを変えることができ、または曲げることができ、および前記第１アダプタ部品の長手軸（３２）の方向に傾斜して延伸することを特徴とする［１］または［２］に記載の移送装置。
［４］  前記支持部分は、前記外套壁（１６）の前記前面周縁領域に延びる環状部分（２２、２２２）を備え、該環状部分は部分的に前記外套壁（１６、２１６）の内側に沿って延伸することを特徴とする［１］から［３］のいずれか一項に記載の移送装置。
［５］  前記環状部分（２２）は、前記前面周縁上に延伸して軸方向に変形可能な第１突出部（２４、２６）を備えることを特徴とする［１］から［４］のいずれか一項に記載の移送装置。
［６］  前記第１突出部（２４、２６）は前記環状部分（２２）から、特に前記環状部分の前記前面周縁から出ることを特徴とする［１］から［５］のいずれか一項に記載の移送装置。
［７］  前記第２アダプタ部品（１４、２１４）は外部中空円筒状部分（４４）と、その長手軸に対して横方向に延びる境界壁（４６）とを備え、該境界壁から穿刺針（５０）が出る、または前記境界壁は前記穿刺針によって貫通されることを特徴とする［１］から［６］のいずれか一項に記載の移送装置。
［８］  前記外部中空円筒状部分（４４）の内壁は、前記外套壁（１６）の外側から半径方向に突き出す第２突出部（６４、６６）に対するガイドを備え、その場合、各ガイド（５６、５８）は前記外部中空円筒状部分（４４）の自由な前面周縁から出てその長手方向に延びる第１部分（６０）を備え、該第１部分はこの第１部分に対して横方向に境界壁側で延びる第２部分（６２）に移行し、該第２部分に前記第２突出部（６４、６６）をインタロック可能なように固定可能である、ことを特徴とする［１］から［７］のいずれか一項に記載の移送装置。
［９］  前記ガイド（５６、５８）の前記第２部分（６２）は、軸方向に断面減少部を備え、該断面減少部によって前記第２突出部（６４、６６）がこれを乗り越えることに基づいて前記第１および第２アダプタ部品（１２、１４）がインタロックされることを特徴とする［１］から［８］のいずれか一項に記載の移送装置。
［１０］  前記ガイド（５６、５８）の前記第２部分（６２）の内縁として少なくとも瓶側で延びる境界は、前記第１アダプタ部分（１２）もしくは前記瓶（２０）の長手軸に対して少なくとも部分的に傾斜して延び、かつ前記瓶（２０）もしくは前記第１アダプタ部品の前記長手軸（３２）に対して鈍角を成すことを特徴とする［１］から［９］のいずれか一項に記載の移送装置。
［１１］  前記第２突出部（６４、６６）は、前記外套壁（１６）への投影において角を有する矩形形状または台形形状を備え、該角は前記第１アダプタ部品（１２）の固定の際に断面減少部を生じさせる段と相互作用し、該段は前記ガイド（５６、５８）の前記第２部分（６２）の瓶側で延びる内縁から出ることを特徴とする［１］から［１０］のいずれか一項に記載の移送装置。
［１２］  前記第２アダプタ部品（１４、２１４）の前記外部中空円筒状部分（４４）に対して同軸に内部中空円筒状部分（６８、２６８）が延び、該内部中空円筒状部分に保護要素（７２）が望ましくは移動可能に配置され、その場合、前記第２アダプタ部品（１４）との前記第１アダプタ部品（１２）の接続がない場合、前記穿刺針（５０）の先端（７４）は前記保護要素と前記外部中空円筒状部分の前記境界壁との間に延びることを特徴とする［１］から［１１］のいずれか一項に記載の移送装置。
［１３］  前記支持部分から出る前記舌状またはウェブ状固定要素（２８、３０、２２８、２３０）は前記第１アダプタ部品（１２、２１２）の前記底部分（１８、２１８）の方向に、かつその前記長手軸（３２）に対して傾斜して延伸し、その場合、前記第１アダプタ部品内に位置決めされた前記瓶（２０）において、前記固定要素はこの瓶に、もしくは瓶の首（３４）と瓶の円周壁との間の過渡部（３８）において支えられる、もしくはこれにおいて支えられることが可能であることを特徴とする［１］から［１２］のいずれか一項に記載の移送装置。
［１４］  前記第２アダプタ部品（１４）の前記中空円筒状部分（４４）の内断面は、その軸方向の移動の際に前記第１アダプタ部品（１２）をガイドするために、前記外套壁（１６）の外断面に合致することを特徴とする［１］から［１３］のいずれか一項に記載の移送装置。
［１５］  前記第２アダプタ部品（２１４、４１４）、望ましくはその外部中空円筒状部分（２４４）は、前記第１アダプタ部品（２１２、４１２）を取り囲む位置において、前記第１アダプタ部品に対して、望ましくはその外套壁（２１６）および／または前記瓶（２０）に対して密閉されることを特徴とする［１］から［１３］のいずれか一項に記載の移送装置。
［１６］  前記第２アダプタ部品（２１４、４１４）もしくはその前記中空円筒状部分（２４４）は内側に密閉部を生じさせる特に中空円筒状の形状のシール材（３３２、４３６）を備え、該シール材は望ましくは挿入物として形成されることを特徴とする［１５］に記載の移送装置。
［１７］  前記第２アダプタ部品（２１４、４１４）の前記外部中空円筒状部分（２４４）は第１インタロック要素（３１４、３１６、３１８、３２０、３２２、３２４、４１６、４１８、４２０、４２３、４２４、４２５）を備える、またはこれらは前記第２アダプタ部品からまたはこれに接続された要素から出ること、および前記穿刺針（５０）の穿通方向と逆の第１アダプタ部品に対する第２アダプタ部品の相対的な位置変化が阻止されるように、前記第１インタロック要素は外套壁側に延びる前記第１アダプタ部品（２１２、４１２）の第２インタロック要素（３１０、３１２）と相互作用することを特徴とする［１］から［１６］のいずれか一項に記載の移送装置。
［１８］  前記第２アダプタ部品（２１４、４１４）から少なくとも１つの第１インタロック要素（３１４、３１６、３１８、３２０、４１６、４１８、４２０、４２４）が出て、該第１インタロック要素は、望ましくは末端側に前記第２アダプタ部品（２１４、４１４）もしくは前記移送装置（２００、４００）の長手軸の方向に延伸する係合突出部（３２２、３２４、４２３、４２５）を有して軸方向に延びて曲がることができる舌状要素であり、該係合突出部は望ましくは歯状の突出部によって限定される前記第１アダプタ部品（２１２、４１２）の係合窪み（３１０、３１２）に係合することを特徴とする［１］から［１７］のいずれか一項に記載の移送装置。
［１９］  前記少なくとも１つの舌状要素（３１４、３１６、３１８、３２０、４１６、４１８、４２０、４２４）は、前記第２アダプタ部品（２１４、４１４）の前記外部中空円筒状部分（２４４）に溶接によって接続される環状要素（３２６、４３０）から要素として出ることを特徴とする［１］から［１８］のいずれか一項に記載の移送装置。
［２０］  前記第１アダプタ部品（２１２、４１２）の前記外套壁（２１６）から、周りを囲む環状の突出部（２１７）のようなストッパが突き出し、該ストッパに第１および第２アダプタ部品（２１２、２１４、４１２、４１４）の間の適正な接続の際に後者が密接することを特徴とする［１］から［１９］のいずれか一項に記載の移送装置。
［２１］  少なくとも部分的に互いに移動される第１および第２アダプタ部品（２１２、２１４、４１２、４１４）において、これらは前記瓶（２０）を取り囲んで密閉される容器を構成することを特徴とする望ましくは［１］から［２０］のいずれか一項に記載の移送装置。
［２２］  前記第２アダプタ部品（２１４）の内部中空円筒状部分（２６８）は、末端側に内側に向いた少なくとも１つの突出部（２７０）を備え、該突出部は適正に組み立てられたアダプタ部品（２１２、２１４）において前記瓶（２０）の前記膨らんだ周縁（４０）に背面係合することを特徴とする［１］から［２１］のいずれか一項に記載の移送装置。
［２３］  前記移送装置（１００）の前記第１アダプタ部品（１１２）は、瓶側に延びる第１外部中空円筒状部分（１１６）とこれから出る小さな断面の第１内部中空円筒状部分（１１８）とを備え、
前記第１外部中空円筒状部分（１１６）は、前記瓶（２０）の一部分、特にその膨らんだ周縁を把持するためにそれぞれ自由な末端領域に半径方向に内側に突き出す突出部（１２８）を有して軸方向に延びて固定要素を構成する舌状部分（１２４、１２６）を備え、および前記第２アダプタ部品（１１４）は、前記第１アダプタ部品（１１２）の前記第１外部中空円筒状部分（１１６）の外側に沿って移動可能な第２外部中空円筒状部分（１３４）を備え、
前記第２外部中空円筒状部分（１３４）によって取り囲まれる前記第１アダプタ部品（１１２）の前記第１外部中空円筒状部分（１１６）において、外に向いた半径方向の舌状部分（１２４、１２６）の位置変化が阻止され、または基本的に阻止され、および前記第２アダプタ部品（１１４）の前記第２外部中空円筒状部分（１３４）から断面の小さい第３外部中空円筒状部分（１３６）が出て、該第３外部中空円筒状部分の内部で前記第２アダプタ部品（１１４）の第２部品として第２内部中空円筒状部分が移動可能であり、該第２内部中空円筒状部分から穿刺針（５０）が出ることを特徴とする［１］に記載の移送装置。
［２４］  前記第１アダプタ部品（１１２）に対する前記第２アダプタ部品（１１４）の軸方向の位置変化は取り外し可能な第１安全装置（１３８）を介して、および前記第２アダプタ部品の前記第３外部中空円筒状部分（１３６）に対する前記第２内部中空円筒状部分（１３２）の軸方向の位置変化は取り外し可能な第２安全装置（１４６）を介して阻止されることを特徴とする［１］から［２３］のいずれか一項に記載の移送装置。
［２５］  前記第１アダプタ部品（１１２）の前記第１内部中空円筒状部分（１１８）から保護要素（１７２）が出て、その場合、前記保護要素と前記第２アダプタ部品（１１４）の前記第２内部中空円筒状部分（１３２）との間に、使用していない移送装置（１００）において穿刺針（５０）の先端（７４）が延びることを特徴とする［１］から［２４］のいずれか一項に記載の移送装置。
［２６］  前記第１アダプタ部品（１１２）への前記第２アダプタ部品（１１４）の軸方向移動において、前記第３外部中空円筒状部分（１３６）は外側に、および前記第２アダプタ部品（１１４）の前記第２内部中空円筒状部分（１３２）は内側に、前記第１アダプタ部品（１１２）の前記第１内部中空円筒状部分（１１８）に沿って導かれることを特徴とする［１］から［２５］のいずれか一項に記載の移送装置。
［２７］  前記第１安全装置（１３８）は、前記第３外部中空円筒状部分（１３６）内に存在するスリットを貫通し、および前記第１アダプタ部品（１１２）の前記第１内部中空円筒状部分（１１８）の外壁にあるこれに合わせられた溝のような切込部に係合する、ことを特徴とする［１］から［２６］のいずれか一項に記載の移送装置。
［２８］  前記第２内部中空円筒状部分（１３２）は、穿刺針先端側に望ましくは底壁（４３４）を備え、穿刺針先端の反対を向いた側がその円周壁から、特に前面領域から半径方向に外に向いたフランジ部分のような部分（１４４）を備え、その有効な半径方向延長は少なくとも前記第３外部中空円筒状部分（１３６）の外部断面と同じか、望ましくはそれより大きいことを特徴とする［１］から［２７］の少なくともいずれか一項に記載の移送装置。
［２９］  前記第２安全装置は、前記第１および第２アダプタ部品（１１２、１１４）間の軸方向の非移動性において、前記第３外部中空円筒状部分（１３６）の自由な前面周縁（１４２）と望ましくは前記第２内部中空円筒状部分（１３２）のフランジ状部分（１４４）との間に延びることを特徴とする［１］から［２８］のいずれか一項に記載の移送装置。
［３０］  前記保護要素（７２、１７２）は、望ましくは軸方向の移動可能に配置される円板要素であることを特徴とする［１］から［２９］のいずれか一項に記載の移送装置。
［３１］  互いに移動可能な前記第１および第２アダプタ部品（１２、１１２；１４、１１４）において、これらは適正な使用の際に分離不可に接続されることを特徴とする［１］から［３０］のいずれか一項に記載の移送装置。
［３２］  前記第２アダプタ部品（１１４）の前記第２外部中空円筒状部分（１３４）を用いて移送装置（１００）の使用位置において係合される前記第１アダプタ部品（１１２）の前記第１外部中空円筒状部分（１１６）において、前記第２アダプタ部品（１１４）の前記第２および第３外部中空円筒状部分（１３４、１３６）の間に延びる中間壁（１４０）は、前記第１アダプタ部品（１１２）の前記第１外部中空円筒状部分（１１６）と前記第１内部中空円筒状部分（１１８）との間に延びる中間壁（１２０）に当接することを特徴とする［１］から［３１］のいずれか一項に記載の移送装置。
［３３］  前記第２アダプタ部品（１１４）を用いて前記第１アダプタ部品（１１２）を係合するために、前記第２安全装置要素（１４６）は、前記第２アダプタ部品（１１４）の前記第３外部中空円筒状部分（１３６）と前記第２内部中空円筒状部分（１３２）との間に留まることを特徴とする［１］から［３２］のいずれか一項に記載の移送装置。
［３４］  前記第２アダプタ部品（１１４）の前記第３外部中空円筒状部分（１３６）と前記第２内部中空円筒状部分（１３２）との間に存在する第２安全装置要素（１４６）において、前記第３外部中空円筒状部分と前記第２内部中空円筒状部分は、前記穿通針（５０）の穿通方向と逆の軸方向の位置変化が阻止されるように係合されることを特徴とする［１］から［３３］のいずれか一項に記載の移送装置。
［３５］  前記穿刺針（５０）の穿通方向への前記第２アダプタ部品（１４、１１４、２１４、４１４）の位置変化において、前記第１アダプタ部品（１２、１１２、２１２、４１４）は前記第２アダプタ部品と、穿通方向と逆の前記第１アダプタ部品に対する前記第２アダプタ部品の位置変化が阻止されるように相互作用することを特徴とする［１］から［３４］のいずれか一項に記載の移送装置。
［３６］  前記第２アダプタ部品（４１４）は、円筒状円周壁（４４２）を有するフード形状またはカップ形状と、これに対して同軸に延びる内部中空円筒状部分（４４４）とを備え、該内部中空円筒状部分から、組み立てられた前記第１および第２アダプタ部品（２１２、４１４）において、それを用いて前記第２アダプタ部品を前記第１アダプタ部品に対して密閉するシール要素（４３６）が出ることを特徴とする［１］から［３５］の一項に記載の移送装置。
［３７］  前記シール要素（４３６）は断面において不均一脚の内部脚と外部脚とを有するＵ字形状を備え、その間に部分的に前記内部中空円筒状部分（４４４）が延びることを特徴とする［１］から［３６］のいずれか一項に記載の移送装置。
［３８］  前記舌状要素（３１４、３１６、３２０、３２２、４１６、４１８、４２０、４２４）は、
前記第２アダプタ部品（２１４、４１４）の前記円周壁（２４４、４４２）に対して同軸に延びる円筒状覆いを締め付け、および前記環状要素（３２６、４３０）から出て、前記第２アダプタ部品（２１４、４１４）の前記底壁（２４５、４３４）の方向に延伸する  ことを特徴とする［１８］に記載の移送装置。
［３９］  医療用薬剤を有する容器と、医療用薬剤を溶かすための溶剤を有するバッグと、上記の［１］から［３８］のいずれか一項に記載の移送装置とによって構成される医療用薬剤を溶剤に混合するためのキット。